(57)【要約】【課題】カラオケ伴奏音楽と、それに合わせて歌う歌唱者の歌声とを録音する際に、歌唱者がガイドメロディが付いたカラオケ伴奏音楽によって歌い易く上手に歌えるとともに、元歌と同じようにガイドメロディのない伴奏音楽とともに歌唱者の歌声を録音できるようにしたカラオケ装置を提供する。【解決手段】電子楽譜形式のカラオケデータをシンセサイザにより処理してカラオケ楽曲を演奏するカラオケ装置であって、カラオケデータを処理しつつガイドメロディを含む伴奏音楽の音声信号を出力すると同時に、ガイドメロディを含まない伴奏音楽の音声信号を並行して出力することとしている。【選択図】      図３
2004302234.tif 000002
【特許請求の範囲】
【請求項１】
電子楽譜形式のカラオケデータをシンセサイザにより処理してカラオケ楽曲を演奏するカラオケ装置であって、
カラオケデータを処理しつつガイドメロディを含む伴奏音楽の音声信号を出力すると同時に、ガイドメロディを含まない伴奏音楽の音声信号を並行して出力することを特徴とするカラオケ装置。
【請求項２】
シンセサイザが搭載する多数の音源により生成出力される多数の伴奏音を全て加算しその加算伴奏音の音声信号をガイドメロディを含む伴奏音楽の音声信号として出力する第１の重畳回路と、シンセサイザにおいて、ガイドメロディに割り当てられている音源を除いた音源により生成出力される伴奏音の加算伴奏音をガイドメロディを含まない伴奏音楽の音声信号として出力する第２の重畳回路とを備えたことを特徴とする請求項１に記載のカラオケ装置。
【請求項３】
前記第２の重畳回路は、カラオケデータ中に規定されたガイドメロディ用音源についての指定情報を受けて、ガイドメロディを含まない伴奏音楽の音声信号を出力することを特徴とする請求項２に記載のカラオケ装置。
【請求項４】
多数の音源を搭載した第１のシンセサイザと、前記第１のシンセサイザと同等の第２のシンセサイザと、第１のシンセサイザにカラオケデータを与えてガイドメロディを含むカラオケ伴奏音楽の音声信号を出力させる手段と、第２のシンセサイザに対しカラオケデータ中からガイドメロディを除いた電子楽譜を与えてガイドメロディを含まない伴奏音楽の音声信号を出力させる手段とを備えたことを特徴とする請求項１に記載のカラオケ装置。
【請求項５】
ガイドメロディの音声信号を生成する第１のシンセサイザと、ガイドメロディを除いた伴奏音楽の音声信号を出力する第２のシンセサイザと、第１および第２のシンセサイザからの音声信号を混合することでガイドメロディを含む伴奏音楽の音声信号を出力する手段とを備えたことを特徴とする請求項１に記載のカラオケ装置。
【請求項６】
マイクロホン入力される歌唱者の歌声信号とガイドメロディを含む伴奏音楽との混合音声信号を音響出力しつつ、当該歌声信号とガイドメロディを含まない伴奏音楽の混合音声信号を並行して出力する手段を備えたことを特徴とする請求項１〜４のいずれかに記載のカラオケ装置。
【発明の詳細な説明】
【０００１】
【発明の属する技術分野】
本発明はカラオケ装置に関し、具体的にはカラオケ伴奏音楽と歌唱者の歌声とを録音する際の演奏制御方式に関する。
【０００２】
【従来の技術】
カラオケ装置が演奏するカラオケ伴奏音楽と、それに合わせて歌う歌唱者の歌声とを適宜な録音装置を使って録音するカラオケ録音サービスがカラオケ店舗で提供されている。録音装置は、カラオケ装置が演奏出力するカラオケ伴奏音楽の音声信号と、マイクロホン入力される歌唱者の歌声の音声信号との混合音声信号を入力して所定の記録媒体に記録する。
【０００３】
録音装置は、カセットテープレコーダなどのように、アナログ音声信号をそのまま記録するタイプのものもあるし、ＣＤレコーダやＭＤレコーダのように、アナログ音声信号を起源として所定形式のデジタル音声データを生成し、このデジタル音声データを記録するタイプのものもある。
【０００４】
【発明が解決しようとする課題】
現在主流のカラオケ装置は、ＭＩＤＩ形式のカラオケデータをシンセサイザで処理してカラオケ伴奏音楽を生成している。カラオケデータは、カラオケ伴奏音楽を構成する各種楽器の旋律を記述したものであり、ボーカルの旋律（ガイドメロディ）に対しても特定の楽器を割り当てて記述している。しかし、カラオケ楽曲の元歌では、歌唱メロディ（ガイドメロディに相当する）自体が歌唱時にユニゾンのように楽器で演奏されている作品は極めて少ない。しかしカラオケでは、アマチュアの歌唱者が歌い易いように歌唱メロディを楽器演奏してガイドメロディとして付け加えている。カラオケ歌唱者はガイドメロディに合わせて斉唱するように歌えば、ピッチやタイミングを外さずに上手く歌える。
【０００５】
このように機能するガイドメロディの存在が、プロ歌手が歌っている音楽作品の伴奏音楽と、カラオケの伴奏音楽との大きな相違点であり、カラオケ伴奏音楽が本物の伴奏音楽と違うと感じさせる要因である。多くのカラオケ装置では、ガイドメロディを消したり、ガイドメロディの音量を下げたりする機能がついている。これは、上手く歌えるようになったら、ガイドメロディを消すか、小さな音量にしてプロ風の本物の伴奏音楽で歌いたいとうカラオケ愛好者の要求に応えるためである。
【０００６】
ところで、カラオケ録音サービスを利用しようとする人は、上手に歌った時の歌唱を記録に残しておきたいと思う。そのためには、十分に大きな音でガイドメロディを鳴らして歌った方が歌い易く上手に歌える。しかし、そのように録音したのでは、ガイドメロディが大きく聞こえる素人っぽい録音作品になってしまう。
【０００７】
本発明は、歌唱者が上手に歌え、かつ、元歌と同じようにガイドメロディのない伴奏音楽とともに歌唱者の歌声を録音するためのカラオケ装置を提供することを目的としている。
【０００８】
【課題を解決するための手段】
上記目的を達成するための本発明は、電子楽譜形式のカラオケデータをシンセサイザにより処理してカラオケ楽曲を演奏するカラオケ装置であって、カラオケデータを処理しつつガイドメロディを含む伴奏音楽の音声信号を出力すると同時に、ガイドメロディを含まない伴奏音楽の音声信号を並行して出力することとしている。
【０００９】
また、シンセサイザが搭載する多数の音源により生成出力される多数の伴奏音を全て加算しその加算伴奏音の音声信号をガイドメロディを含む伴奏音楽の音声信号として出力する第１の重畳回路と、シンセサイザにおいて、ガイドメロディに割り当てられている音源を除いた音源により生成出力される伴奏音の加算伴奏音をガイドメロディを含まない伴奏音楽の音声信号として出力する第２の重畳回路とを備えたカラオケ装置とすることもできる。
【００１０】
なお、前記第２の重畳回路は、カラオケデータ中に規定されたガイドメロディ用音源についての指定情報を受けて、ガイドメロディを含まない伴奏音楽の音声信号を出力することとしてもよい。
【００１１】
多数の音源を搭載した第１のシンセサイザと、前記第１のシンセサイザと同等の第２のシンセサイザと、第１のシンセサイザにカラオケデータを与えてガイドメロディを含むカラオケ伴奏音楽の音声信号を出力させる手段と、第２のシンセサイザに対しカラオケデータ中からガイドメロディを除いた電子楽譜を与えてガイドメロディを含まない伴奏音楽の音声信号を出力させる手段とを備えたカラオケ装置とすることも可能である。
【００１２】
ガイドメロディの音声信号を生成する第１のシンセサイザと、ガイドメロディを除いた伴奏音楽の音声信号を出力する第２のシンセサイザと、第１および第２のシンセサイザからの音声信号を混合することでガイドメロディを含む伴奏音楽の音声信号を出力する手段とを備えたカラオケ装置としてもよい。
【００１３】
なお、マイクロホン入力される歌唱者の歌声信号とガイドメロディを含む伴奏音楽との混合音声信号を音響出力しつつ、当該歌声信号とガイドメロディを含まない伴奏音楽の混合音声信号を並行して出力する手段を備えたカラオケ装置とすることもできる。
【００１４】
【発明の実施の形態】
＝＝＝カラオケ装置を含むシステム＝＝＝
図１に本発明の実施例におけるカラオケ装置を含むカラオケ録音システムの概略図を示した。このシステムは、カラオケ装置と、パーソナルコンピュータと同等の汎用コンピュータ（付属コンピュータ）２にＳＣＳＩ規格など、周知の通信インタフェースによりＣＤ−Ｒレコーダ３を接続した構成のカラオケ録音装置とを含んでいる。
【００１５】
カラオケ装置１は周知の通信カラオケシステムの演奏端末として機能し、カラオケ装置１と付属コンピュータ２とはＲＳ２３２Ｃ規格など、所定の通信インタフェースを介して相互にデータ通信を行う。付属コンピュータ２は、カラオケ装置１からカラオケ伴奏音楽とマイクロホン入力された歌唱者の音声信号（歌声信号）との混合信号を入力し、これをサンプリングしてデジタル音声データにＡ／Ｄ変換するためのオーディオインタフェースが実装されている。なお、付属コンピュータ２は、カラオケ装置１にて演奏可能なカラオケ楽曲についての目次情報（曲名、アーティスト名、歌詞の歌い出しなど）を外部記憶に蓄積管理し、これを楽曲索引データベースとして管理している。そして、利用者入力により受け付けたリクエスト曲についての断片的な情報を楽曲索引データベースに紹介し、最終的にリクエスト曲が指定されたならば、その楽曲の楽曲番号を含んだ演奏予約コマンドをカラオケ装置に送付する機能も備えている。
【００１６】
＝＝＝カラオケ装置の構成と動作＝＝＝
図２にカラオケ装置の機能ブロック図を示した。中央制御部１１は、各周辺構成部を制御してカラオケ装置１を統括し、ハードディスク装置１２には多数のカラオケ楽曲について、ＭＩＤＩデータを主体とした伴奏音楽データと、歌詞画像の生成起源となる歌詞描出データとを含むカラオケデータが蓄積されている。伴奏音楽データには、シンセサイザ３０に内蔵されている多数の音源のそれぞれを一つの楽器として、それぞれの楽器が発音すべき演奏音の音符情報（発音／消音タイミング、音高、音量など）が記述されている。またガイドメロディについても所定の楽器が割り当てられている。
【００１７】
歌詞描出データは歌詞文字、歌詞文字列の表示／消去タイミング、表示した文字列において歌唱タイミングにある文字を色変えていくための指示情報などを含んでいる。さらにハードディスク装置１２には、所定形式の長時間分の動画データと、動画データの処理シーケンス（処理すべき動画データの格納場所と処理順番など）を規定した台本データも格納されている。そして、中央制御部１１は、各楽曲のカラオケデータや台本データを楽曲番号によって識別し、これをカラオケデータベースとして管理している。なお、中央制御部１１は、通信制御部２０を介して所定の情報通信網に接続されているホスト装置と適時に通信し、新譜楽曲についてのカラオケデータや台本データを取り寄せ、カラオケデータベースの内容を随時更新している。
【００１８】
中央制御部１１は、カラオケ装置１に配設されている操作パネル１５やリモコン送信器１４からの楽曲番号を含んだ演奏予約コマンドを操作制御部１６を介して受け取ると、あるいは、付属コンピュータ２からの演奏予約コマンドを制御情報インタフェース２３を介して受け取ると、その番号を内部のＲＡＭに格納して演奏処理の待ち行列で管理する。そして、待ち行列から楽曲番号を順次取り出し、該当のカラオケデータをハードディスク装置１２より読み出し、このカラオケデータ中の伴奏音楽データをシンセサイザ３０に転送して伴奏音楽を生成させる。
【００１９】
一方、歌詞描出データについては、伴奏音楽に同期して歌唱すべき箇所が色変わりする歌詞画像をビデオＲＡＭ１７に順次ビットマップ展開していく。また、台本データに基づいて所定の動画データを所定の順番で映像制御部１８に順次転送して歌詞画像の背景動画を復号させる。
【００２０】
ミキシングアンプ４０は伴奏音楽とマイクロホン２２に入力された歌声音声とを混合・増幅してスピーカ２１より音響出力するとともに、外部音声出力端子４１を備えてこの混合音声信号を出力する。映像制御部１８は、復号した動画映像に歌詞画像をスーパーインポーズ処理してディスプレイ１９に表示出力する。
【００２１】
＝＝＝カラオケ録音＝＝＝
カラオケ装置１が演奏する伴奏音楽とそれに合わせて歌う歌唱者の歌声は、カラオケ録音装置５によりＣＤ−Ｒ４に録音することができる。付属コンピュータ２は、カラオケ録音サービスを利用する旨の入力を利用者から受け付けると、その旨をカラオケ装置１に通知し、カラオケ装置１からカラオケ楽曲の演奏開始のタイミング情報が送られてくるのを待機する。そして、このタイミング情報がカラオケ装置１より送付されてくると、オーディオインタフェースに入力されたアナログのカラオケ伴奏音楽と歌唱音声との混合音声信号をデジタル音声データに変換し、そのデータをＲＡＭなどに格納する。演奏終了の情報がカラオケ装置１から転送されてくると、音声データをＷＡＶＥファイルなど適宜な形式の録音ファイルに作成し、これを内蔵のハードディスク装置などに一時的に保存する。
【００２２】
このように次々に一時保存された複数の録音ファイルについて、利用者がＣＤ−Ｒ４へ転記したいファイルを選択し、それを転記する旨の操作入力を付属コンピュータ２に与えると、付属コンピュータ２は、ＣＤ−Ｒレコーダ３を制御して、指定の録音ファイルをＣＤ−Ｒ４に転記する。
【００２３】
＝＝＝カラオケ録音対応機能＝＝＝
本実施例のカラオケ装置１は、付属コンピュータ２を介してＣＤ−Ｒ４に伴奏音楽と歌声とを録音する際、スピーカ２１から音響出力される伴奏音楽についてはガイドメロディを含ませて歌唱者が歌い易いようにするとともに、実際に録音される伴奏音楽については元歌と同様にガイドメロディが含ませないようにするカラオケ録音対応機能を備えている。そのために、本実施例のカラオケ装置１のシンセサイザ３０は、ガイドメロディを含んだ伴奏音楽の音声信号と、ガイドメロデイを含まない伴奏音楽の音声信号とを個別に並列的に出力する構成を備えている。また本実施例では、ミキシングアンプ４０は、これら並列的に出力される音声信号にマイクロホンからの歌声信号を個別に混合し、その混合音声信号を並列的に出力する構成を備えている。
【００２４】
図３にシンセサイザ３０およびミキシングアンプ４０の機能ブロック図を示した。シンセサイザ３０の音源制御部３１は、専用のＤＳＰやマイコンであり、中央制御部１１から順次転送されてくる伴奏音楽データに従って指定の音源３２を駆動したり、中央制御部１１とのデータ通信に基づいてシンセサイザ３０の各構成部を制御したりする。
【００２５】
各音源３２は波形合成された伴奏音に相当するＰＣＭ形式の伴奏音データを生成する。各音源３２が出力する伴奏音データは重畳回路Ａ（３３ａ）、Ｂ（３３ｂ）で各伴奏音の波形が加算されたＰＣＭ音声データとして出力される。この加算音声データはＤ／Ａコンバータ３４でＤ／Ａ変換されてアナログの音声信号として出力される。本実施例ではこの重畳回路が２系統あり、音源制御部３１は、中央制御部の指示に基づいて、特定の音源からの伴奏音データについては加算しないように各重畳回路Ａ（３３ａ）、Ｂ（３３ｂ）を制御する。
【００２６】
重畳回路（３３ａ、３３ｂ）を起源とする音声出力信号が入力されるミキシングアンプ４０は、２系統の重畳回路Ａ（３３ａ）、Ｂ（３３ｂ）に対応して２系統の音声入力系統を備えている。一方の重畳回路Ａを起源とする入力音声信号は、ミキシングアンプ４０内のミキサＡ（４２ａ）によりマイクロホン２２からの歌声信号と混合されるとともにアンプＡ（４３ａ）で増幅されてスピーカ２１から音響出力される。また、他方の重畳回路Ｂからの音声信号は、マイクロホンからの歌声信号とミキサＢ（４２ｂ）にて混合された後、アンプＢ（４３ｂ）を経て外部音声出力端子４１から出力され、付属コンピュータ２におけるオーディオインタフェースの音声信号入力へ接続される。
【００２７】
中央制御部１１は、付属コンピュータ２よりカラオケ録音サービスの利用通知を制御情報インタフェース２３を介して受け取ると、カラオケ録音機能を能動化する。録音対象のカラオケ楽曲の伴奏音楽データを取り出すと、その伴奏音楽データ中でガイドメロディに割り当てられている楽器の音源を認知し、そのガイドメロディの音源指示データを音源制御部３１に転送する。そして、伴奏音楽データを音源制御部３１に順次転送していく。
【００２８】
音源制御部３１は、ガイドメロディの音源指示データを受け取ると、２系統の重畳回路Ａ（３３ａ）、Ｂ（３３ｂ）のうち付属コンピュータへの経路へ接続されている系統の回路Ｂ（３３ｂ）に対し、該当の音源（音源ｋとする）３２ｋからの伴奏音データを加算しないように制御する。他方の重畳回路Ａ（３３ａ）に対しては伴奏音楽データによって指定されている全音源３２からの伴奏音データを加算するように指示する。それによって、スピーカ２１からはガイドメロディ付きの伴奏音楽が音響出力され、歌唱者はガイドメロディに従って上手に歌える。また、付属コンピュータ２にはガイドメロディを含まない伴奏音楽と歌唱者の歌声とが混合された音声信号が入力され、ＣＤ−Ｒ４には元歌と同じようにガイドメロディのない伴奏音楽とそれに合わせて歌う歌唱音声とが録音される。
【００２９】
なお、ガイドメロディを含まない伴奏音楽と歌唱者の歌声との混合処理は、カラオケ装置１側で行わず、カラオケ録音装置５側で行ってもよい。
【００３０】
＝＝＝シンセサイザとミキシングアンプの構成について＝＝＝＝
上記実施例では重畳回路を２系統設けて、ガイドメロディが付いている伴奏音楽と、付いていない伴奏音楽とを個別の音声出力系統に出力していた。この構成に限らず、図４に示すように、シンセサイザを２系統設ける構成としてもよい。中央制御部１１は、楽曲演奏に際し、一方のシンセサイザ３０ａには伴奏音楽データをそのまま転送し、他方のシンセサイザ３０ｂには伴奏音楽データからガイドメロディの旋律に相当するデータを省略してこれを転送するようにすればよい。
【００３１】
全カラオケ楽曲について、ガイドメロディに割り当てられている音源が規定されている場合では、図５に示すように、その音源のみを搭載したシンセサイザ３０ｃによってガイドメロディのみの伴奏音を生成し、そのガイドメロディ用音源以外の全音源が搭載されたシンセサイザ３０ｄによってガイドメロディ以外の伴奏音を生成する。そしてミキシングアンプ４０には、２系統のシンセサイザ（３０ｃ，３０ｄ）からの全伴奏音とマイクロホン２２からの歌声とを混合してスピーカ２１出力する信号経路（４３ｃ→４４ｃ）と、ガイドメロディ以外の伴奏音とマイクロホン２２からの歌声との混合音声信号を録音用として出力する信号経路（４３ｄ→４４ｄ）とを備えさせればよい。
【００３２】
中央制御部が各シンセサイザに送る旋律を選択する。
【００３３】
＝＝＝ガイドメロディのない伴奏音楽について＝＝＝
上記実施例では、録音される伴奏音楽はガイドメロディのみが除かれ、他のメロディは伴奏音楽データ中に全て記述されていた。この例に限らず、より元歌の伴奏音楽に近い伴奏音楽を録音できるように、ガイドメロディとともに他のメロディを除いてもよい。またカラオケデータベースで、各楽曲ごとに録音対象のメロディを対応付けして管理しておけば、楽曲ごとに録音対象となるメロディを変えることができる。
【００３４】
【発明の効果】
本発明のカラオケ装置によれば、カラオケ伴奏音楽と、それに合わせて歌う歌唱者の歌声とを録音する際に、歌唱者がガイドメロディが付いたカラオケ伴奏音楽によって歌い易く上手に歌えるとともに、元歌と同じようにガイドメロディのない伴奏音楽とともに歌唱者の歌声を録音できる。
【図面の簡単な説明】
【図１】本発明の実施例におけるカラオケ装置を含むカラオケシステムの構成図である。
【図２】上記カラオケ装置の機能ブロック図である。
【図３】上記カラオケ装置におけるシンセサイザとミキシングアンプの機能ブロック図である。
【図４】本発明の変更例におけるカラオケ装置におけるシンセサイザとミキシングアンプの機能ブロック図である。
【図５】本発明のその他の変更例におけるカラオケ装置におけるシンセサイザとミキシングアンプの機能ブロック図である。
【符号の説明】
１  カラオケ装置
５  カラオケ録音装置
３０  シンセサイザ
４０  ミキシングアンプ
【図１】
2004302234.tif 000003
【図２】
2004302234.tif 000004
【図３】
2004302234.tif 000005
【図４】
2004302234.tif 000006
【図５】
2004302234.tif 000007